(57)【要約】【課題】冷媒流動音を安価に抑制した冷蔵庫を提供。【解決手段】圧縮機の回転数を可変して冷凍システムを制御する制御装置を備え、上記制御装置は、圧縮機の回転数を順次上昇させて圧縮機を起動するステップ２２を有するとともに、圧縮機起動過程時のある特定の回転数域になると圧縮機の回転数を特定の回転数域以外の回転数とするステップ２４を有する構成としてある。これにより、圧縮機の回転が、冷媒流動音が発生するある特定の回転数域になると、制御装置が圧縮機の回転数を前記特定の回転数以外の回転数として冷媒流動音を抑制する。しかもこの抑制策は制御装置の制御ソフトを変更するだけで行うことができ、安価に提供することができる。【選択図】図７
2014228206.tif 000002
【特許請求の範囲】
【請求項１】
圧縮機、凝縮器、キャピラリチューブおよび蒸発器を順次連結した冷凍サイクルと、前記圧縮機の回転数を可変して冷凍システムを制御する制御装置とを具備し、前記圧縮機起動過程時のある特定の回転数域で冷媒流動音を発生する冷蔵庫であって、前記圧縮機の回転数を可変して冷凍システムを制御する制御装置は、前記圧縮機の回転数を順次上昇させて圧縮機を起動するとともに、前記圧縮機起動過程時のある特定の回転数域になると前記圧縮機の回転数を前記特定の回転数域以外の回転数とするように構成したことを特徴とする冷蔵庫。
【請求項２】
制御装置は、圧縮機起動過程時のある特定の回転数域になると前記圧縮機の回転数を当該回転数域より低い回転とすることを特徴とする請求項１記載の冷蔵庫。
【請求項３】
制御装置は、圧縮機起動過程時のある特定の回転数域の手前の回転数の継続時間を順次上昇させる各回転数の継続時間よりも長く継続させることを特徴とする請求項１記載の冷蔵庫。
【請求項４】
冷蔵庫は更に冷気循環用のファンを備え、制御装置は、圧縮機起動過程時のある特定の回転数域になると更に前記ファンの回転数を前記圧縮機がある特定の回転数域になるときのファン回転数より低い回転数若しくは低い回転数を所定時間継続する構成としたことを特徴とする請求項１〜３のいずれか１項２記載の冷蔵庫。
【請求項５】
圧縮機、凝縮器、キャピラリチューブおよび蒸発器を順次連結した冷凍サイクルと、冷気を循環させるファンと、前記圧縮機の回転数を可変して冷凍システムを制御する制御装置とを具備し、前記圧縮機起動過程時のある特定の回転数域で冷媒流動音を発生する冷蔵庫であって、前記制御装置は、前記圧縮機の回転数を順次上昇させて圧縮機を起動するとともに、前記圧縮機起動過程時のある特定の回転数域になると前記ファンの回転数を前記圧縮機がある特定の回転数域になるときのファン回転数よりも低い回転数若しくは低い回転数を所定時間継続する構成としたことを特徴とする冷蔵庫。
【発明の詳細な説明】
【技術分野】
【０００１】
本発明は冷蔵庫に関し、特に圧縮機起動時に生じる冷媒流動音防止構成に関するものである。
【背景技術】
【０００２】
一般に冷蔵庫は蒸発器に付着する霜を除去する除霜運転を例えば所定時間ごとに行うが、このとき圧縮機は停止しており、除霜運転が終了すると圧縮機が再起動されて冷却運転を再開する。
【０００３】
この冷却運転再開時、換言すると、圧縮機の起動時に、冷却動作が安定するまでの過渡期において冷媒流動音が生じることがある。すなわち、圧縮機の運転により当該圧縮機より吐出された冷媒ガスが凝縮器で熱を放熱して液化し、キャピラリチューブにより減圧され蒸発器へ流入して蒸発し冷却作用をなすが、冷媒がキャピラリチューブから蒸発器へ吐出する場合、蒸発器の内径はキャピラリチューブの内径よりも大きいため、高圧の液冷媒から液相と気相が混じり合った気液２相流状態で蒸発器内に高速で噴出し、チューブ内に冷媒が乱流状態になってチューブを加振するため、大きな冷媒流動音が発生するのである。
【０００４】
このため従来の冷蔵庫は、キャピラリチューブと蒸発器との接続部の断面積を変化させて前記冷媒流動音を抑制していた（例えば、特許文献１参照）。
【０００５】
図１５、図１６は上記特許文献１に記載されている冷蔵庫を示し、蒸発器１０１は細径化した連結端部１０１ａをキャピラリチューブ１０２に接合し、キャピラリチューブ１０２の吐出口１０２ａと対向する部分はキャピラリチューブ１０２に対して大径となる空間部１０１ｂ、更に入口部の内径より小さい縮管部１０１ｃを形成して、キャピラリチューブ１０２から蒸発器１０１に至る断面積を段階的に変化させてある。
【０００６】
この構成によれば、キャピラリチューブ１０２と蒸発器１０１との間の通路の断面積が変化しているため、キャピラリチューブ１０２から蒸発器１０２へと吐出される気液２相流が一気に流れ込むことなく緩和されて流れ込むことになるため、蒸発器管内で気液２相流が大きく乱れて流動するのを抑え、冷媒流動音を抑制することができる、というものである。
【先行技術文献】
【特許文献】
【０００７】
【特許文献１】特開２００３−２２２４５７号公報
【発明の概要】
【発明が解決しようとする課題】
【０００８】
しかしながら、上記従来の構成を採用しても、圧縮機が起動して冷却を開始し冷却動作が安定するまでの過渡期において冷媒流動音が生じる場合があった。
【０００９】
これは冷蔵庫の冷凍サイクルにおけるシステム形態、特に圧縮機の起動時における回転数の上昇の仕方等の固有の条件によってある特定の回転数域で発生するもので、当該冷凍サイクルシステムを採用した形態の冷蔵庫、換言すると、ある特定の機種の冷蔵庫において発生するものであった。
【００１０】
このようなタイプの冷蔵庫であっても、前記キャピラリチューブ１０２と蒸発器１０１との接続部の断面積を更にテーパー状に変化させることによって冷媒流動音を解消することができるが、このようなテーパー状の加工は、加工難易度が高く、かつ、加工時間も要し、コストアップになる。
【００１１】
本発明はこのような点に鑑みてなしたもので、冷媒通路の断面積変化では抑制できない冷媒流動音を安価に抑制した冷蔵庫を提供するものである。
【課題を解決するための手段】
【００１２】
本発明は上記目的を達成するため、圧縮機、凝縮器、キャピラリチューブおよび蒸発器を順次連結した冷凍サイクルと、前記圧縮機の回転数を可変して冷凍システムを制御する制御装置とを具備し、前記圧縮機起動過程時のある特定の回転数域で冷媒流動音を発生する冷蔵庫であって、前記圧縮機の回転数を可変して冷凍システムを制御する制御装置は、前記圧縮機の回転数を順次上昇させて圧縮機を起動するとともに、前記圧縮機起動過程時のある特定の回転数域になると前記圧縮機の回転数を前記特定の回転数域以外の回転数とするように構成してある。
【００１３】
これにより、圧縮機の回転が、圧縮機起動過程時に冷媒流動音が発生するある特定の回転数域になると、制御装置が前記圧縮機の回転数を前記特定の回転数以外の回転数として、流動騒音の一因となる液相或いは気相の偏りを低減し冷媒流動音を抑制する。しかもこの抑制策は制御装置による圧縮機回転数の設定のみで行うことができるので、冷媒通路をテーパー加工する等することなく制御装置の制御ソフトを変更するだけで行うことができ、安価に提供することができる。
【発明の効果】
【００１４】
本発明は、制御装置のソフト変更だけで冷媒流動音を抑制することができ、安価で静かな冷蔵庫を提供することができる。
【図面の簡単な説明】
【００１５】
【図１】本発明の実施の形態１における冷蔵庫の冷凍システムを示す概略図
【図２】同冷蔵庫の冷媒配管状態を示す斜視図
【図３】同冷蔵庫のキャピラリチューブと蒸発器を示す斜視図
【図４】同冷蔵庫のキャピラリチューブと蒸発器配管との接続部を示し、図３のＸ部の拡大断面で、（ａ）はキャピラリチューブ出口での冷媒の通常運転時の状態を示す説明図（ｂ）は同キャピラリチューブ出口での冷媒の冷媒流動音発生時の状態を示す説明図
【図５】同冷蔵庫の制御構成を示す制御ブロック図
【図６】同冷蔵庫の冷却システムにおけるモリエル線図
【図７】同冷蔵庫の制御フローを示すフローチャート
【図８】同冷蔵庫の圧縮機、ファンの駆動状態を示す説明図
【図９】同冷蔵庫の実施の形態２における制御フローを示すフローチャート
【図１０】同実施の形態２における圧縮機、ファンの駆動状態を示す説明図
【図１１】同冷蔵庫の実施の形態３における制御フローを示すフローチャート
【図１２】同実施の形態３における圧縮機、ファンの駆動状態を示す説明図
【図１３】同冷蔵庫の実施の形態４における制御フローを示すフローチャート
【図１４】同実施の形態４における圧縮機、ファンの駆動状態を示す説明図
【図１５】従来の冷蔵庫のキャピラリチューブと蒸発器を示す斜視図
【図１６】同従来の冷蔵庫のキャピラリチューブと蒸発器配管との接続部を示す断面図
【発明を実施するための形態】
【００１６】
第１の発明は、圧縮機、凝縮器、キャピラリチューブおよび蒸発器を順次連結した冷凍サイクルと、前記圧縮機の回転数を可変して冷凍システムを制御する制御装置とを具備し、前記圧縮機起動過程時のある特定の回転数域で冷媒流動音を発生する冷蔵庫であって、前記圧縮機の回転数を可変して冷凍システムを制御する制御装置は、前記圧縮機の回転数を順次上昇させて圧縮機を起動するとともに、前記圧縮機起動過程時のある特定の回転数域になると前記圧縮機の回転数を前記特定の回転数域以外の回転数とするように構成してある。
【００１７】
これにより、圧縮機の回転が、圧縮機起動過程時に冷媒流動音が発生するある特定の回転数域になると、制御装置が前記圧縮機の回転数を前記特定の回転数以外の回転数として、流動騒音の一因となる液相或いは気相の偏りを低減し冷媒流動音を抑制する。しかもこの抑制策は制御装置による圧縮機回転数の設定のみで行うことができるので、冷媒通路をテーパー加工する等することなく制御装置の制御ソフトを変更するだけで行うことができ、安価に提供することができる。
【００１８】
第２の発明は、第１の発明において、制御装置は、圧縮機起動過程時のある特定の回転数域になると前記圧縮機の回転数を当該回転数域より低い回転とする構成としてある。
【００１９】
これにより、冷媒流動音抑制のための圧縮機の回転数変化が緩やかなものとなり、急激な回転数上昇による圧縮機運転音でユーザに不安感を与えることも防止でき、信頼性を損なえことなく冷媒流動音を抑制することができる。
【００２０】
第３の発明は、第１の発明において、制御装置は、圧縮機起動過程時のある特定の回転数域の手前の回転数の継続時間を順次上昇させる各回転数の継続時間よりも長く継続させる構成としてある。
【００２１】
これにより、冷媒は圧縮機の低い回転数によって長く循環駆動されることになり、その間に流動騒音の一因となる液相或いは気相の偏りが低減され、流動騒音を抑制することができる。
【００２２】
第４の発明は第１〜第３の発明において、冷蔵庫は更に冷気循環用のファンを備え、制御装置は、圧縮機起動過程時のある特定の回転数域になると更に前記ファンの回転数を前記圧縮機がある特定の回転数域になるときのファン回転数より低い回転数若しくは低い回転数を所定時間継続する構成としてある。
【００２３】
これにより、起動時以外の通常時のファンの回転数より低い回転数にすることによって冷媒冷却度が変わって流動騒音の一因となる液相或いは気相の偏りが低減され、流動騒音を抑制することができる。
【００２４】
第５の発明は、圧縮機、凝縮器、キャピラリチューブおよび蒸発器を順次連結した冷凍サイクルと、冷気を循環させるファンと、前記圧縮機の回転数を可変して冷凍システムを制御する制御装置とを具備し、前記圧縮機起動過程時のある特定の回転数域で冷媒流動音を発生する冷蔵庫であって、前記制御装置は、前記圧縮機の回転数を順次上昇させて圧縮機を起動するとともに、前記圧縮機起動過程時のある特定の回転数域になると前記ファンの回転数を前記圧縮機がある特定の回転数域になるときのファン回転数よりも低い回転数若しくは低い回転数を所定時間継続する構成としてある。
【００２５】
これにより、圧縮機の回転が、圧縮機起動過程時に冷媒流動音が発生するある特定の回転数域になると、制御装置がファンの回転数を低く制御し、冷媒冷却度が変わって流動騒音の一因となる液相或いは気相の偏りが低減され、流動騒音を抑制することができる。し
かもこの抑制策は制御装置によるファン回転数の設定のみで行うことができるので、冷媒通路をテーパー加工する等の必要も無く制御装置の制御ソフトを変更するだけで行うことができ、安価に提供することができる。
【００２６】
以下、本発明の実施の形態について、図面を参照しながら説明する。なお、この実施の形態によって本発明が限定されるものではない。
【００２７】
（実施の形態１）
図１は本発明の実施の形態１における冷蔵庫に搭載した冷却システムを示し、１は圧縮機、２は凝縮器、３はキャピラリチューブ、４は蒸発器で、これらを順次接続して冷却システムが構築してある。
【００２８】
図２は同冷蔵庫の冷媒配管状態を示し、圧縮機１は冷蔵庫本体５の後上部に、蒸発器４及びキャピラリチューブ３は冷蔵庫本体５の背部に、凝縮器本体２ａは冷蔵庫本体５の後上部に、放熱パイプ２ｂは主に側面及び前面の扉６に組み込んである。
【００２９】
図３はキャピラリチューブ３と蒸発器４を示し、蒸発器４は多数のフィン４ａに管４ｂを貫通させて構成してあり、管４ｂはアキュームレータ４ｃ、管４ｄを経由して圧縮機１と接続してある。キャピラリチューブ３は管４ｄと冷媒の流れ方向を逆にしてロー付けしてある。
【００３０】
図４は図３のＸ部の拡大断面を示し、（ａ）は通常の冷却運転時の冷媒の状態を示す説明図、（ｂ）は同冷媒流動音が発生しているときの冷媒の状態を示す説明図である。
【００３１】
キャピラリチューブ３は一次キャピラリチューブ３ａと二次キャピラリチューブ３ｂからなり、一次キャピラリチューブ３ａの出口部分は拡大空間となっている。
【００３２】
図５は上記冷蔵庫の制御構成を示し、７は冷蔵室等の冷却温度を設定する温度設定手段、８は同冷蔵庫等の温度を検出する温度検知手段、９は制御装置で、前記温度設定手段７で設定された温度と温度検知手段８で検知した温度との差に応じて前記圧縮機１を制御する。１０は前記蒸発器４に風を供給して得た冷気を冷蔵室等に供給するファンで、圧縮機１と同様前記温度設定手段７で設定された温度と温度検知手段８で検知した温度との差に応じて制御されるようになっている。なお、上記制御装置９はインバータ制御部を有し、前記圧縮機１およびファン１０の回転を可変可能としてある。１１は前記制御装置９からの信号に基づき所定時間ごとに通電駆動される霜取りヒータである。
【００３３】
次に上記構成における冷蔵庫の動作について説明する。
【００３４】
まず、冷蔵庫を購入して給電すると、制御装置９は圧縮機１とファン１０を起動させ、前記圧縮機１の起動により圧縮された冷媒ガスが凝縮器２で熱を放熱して液化し、キャピラリチューブ３により減圧され蒸発器４へ流入して蒸発し冷却作用をなす。そして、所定時間運転して蒸発器４に霜が付着すると、制御装置９は前記圧縮機１およびファン１０を停止させるとともに霜取りヒータ１１に通電を開始して霜取りを行う。上記霜取りが所定時間行われると、再び前記圧縮機１とファン１０を起動して冷却作用を行う。
【００３５】
前記圧縮機１およびファン１０の起動時、例えば霜取り運転終了後の圧縮機１およびファン１０の起動時、制御装置９は図７のステップ２１に示す所定時間が経過すると、ステップ２２に示すように圧縮機１とファン１０を駆動する。この圧縮機１及びファン１０の回転数は図８に示すように順次上昇させていき、冷却能力を上げていく。
【００３６】
ここで、上記圧縮機１及びファン１０の回転数を順次上昇させていく起動過程時において、一次キャピラリチューブ３ａから二次キャピラリチューブ３ｂへ冷媒が吐出する時、冷媒の液相と気相が混じり合って二次キャピラリチューブ３ｂ内に噴出し、乱流となって、冷媒流動音が発生する。
【００３７】
詳述すると、圧縮機１の起動過程時には、冷媒の圧力および凝縮器２での放熱が安定しておらず不安定な状態となっていて、図６に示すモリエル線図の（１）が（１‘）、（２）が（２’）、（３）が（３‘）の間で揺らぐように不安定な状態となっている。そのため、前記一次キャピラリチューブ３ａから二次キャピラリチューブ３ｂへ冷媒が吐出する時、図４の（ｂ）に示すように、冷媒の液相αと気相βが均一でなく偏ることが多く、乱流が大小繰り返すような形となって増幅され、冷媒流動音が発生する。特にこの実施の形態では、一次キャピラリチューブ３ａと二次キャピラリチューブ３ｂとの接続部の断面積を段階的或いはテーパー状に変化させる加工を行っておらず、冷媒流動音が生じやすい。
【００３８】
この冷媒流動音が発生する圧縮機１の特定の回転数は、制御装置９による圧縮機１、ファン１０の回転数の上昇制御状態や冷媒配管の屈曲回数、屈曲状況および配管支持状態等の機種固有の条件によって一義的に決まり、その圧縮機１の特定の回転数域は設計時点で判明している。
【００３９】
例えばこの実施の形態の冷蔵庫では、図８に示すように圧縮機１の起動開始から１０分後の圧縮機１の回転数が５２ｒｐｍ（以下、特定の回転数と称す）に達したときに冷媒流動音が発生する。
【００４０】
そこで本発明では前記圧縮機１の回転数が上記特定の回転数に達すると、前記制御装置９が前記圧縮機１の回転数を図８の対策実施品で示す線のように前記特定の回転数以外の回転数とするように構成してある。
【００４１】
すなわち、圧縮機１の回転が、圧縮機起動過程時に、図７のステップ２３のＹで示すように、冷媒流動音が発生するある特定の回転数域になると、制御装置９が図７のステップ２４で示すように、前記圧縮機１の回転数を特定の回転数以外の所定の回転数、この実施の形態では特定の回転数の手前の回転数、例えば図８の４２ｒｐｍまで低下させ、しばらく、例えば１５分程度前記所定の回転数で圧縮機１を駆動し続ける（図７のステップ２５）。
【００４２】
これによって、その間に冷媒の圧力と放熱が安定し、一次キャピラリチューブ３ａから二次キャピラリチューブ３ｂへ吐出する冷媒は図４の（ａ）に示すように、流動騒音の一因となる冷媒の液相α或いは気相βの偏りが低減して液相αと気相βが均一に分散した安定状態となり、冷媒流動音が抑制される。
【００４３】
その後、図７のステップ２６に示すように圧縮機１の回転数を上げて温度検知手段８の検知温度が温度設定手段７で設定された温度になるように冷却運転を行う。
【００４４】
このとき圧縮機１は再び冷媒流動音が発生するある特定の回転数になるが、その時点ではすでに冷媒の圧力と凝縮器による放熱が安定していて、冷媒の液相αと気相βの偏りはほとんどなく、冷媒流動音が発生しない、若しくは発生してもこれが増幅して使用者が感じる程度までの冷媒流動音になることはなく、静かな冷蔵庫とすることができる。
【００４５】
また、上記冷媒流動音低減は、圧縮機１の回転数を特定回転数になったとき当該特定回転数以外の回転数にする、という制御シーケンスを変更、すなわち制御ソフトを変更するだけで行うことができ、従来のように冷媒通路をテーパー加工等する必要がなく、安価に
提供することができる。
【００４６】
またこの実施の形態では、制御装置９は、圧縮機１がある特定の回転数域になったときに変更する回転数をある特定の回転数域より低い回転とする構成としてあるから、冷媒流動音抑制のための圧縮機１の回転数変化が緩やかなものとなり、圧縮機回転数を上げる方向に変更する場合のような急激な回転数上昇（一気に二段階回転数を上昇させる）による圧縮機運転音でユーザに不安感を与えることも防止でき、信頼性を損なうことなく冷媒流動音を抑制することができる。
【００４７】
（実施の形態２）
図９は実施の形態２における制御フローを示すフローチャート、図１０は同実施の形態２における圧縮機、ファンの駆動状態を示す説明図である。
【００４８】
この実施の形態２は前記実施の形態１に加え更にファン１０の回転数も変えるようにしたものである。
【００４９】
すなわち、図９の制御フローにおいて、ステップ２４の圧縮機回転数を所定回転数まで下げたとき更にステップ２７でファン１０の回転数も下げるように構成してある。図１０の説明図ではＦＣファン電圧の対策実施品で示す部分である。
【００５０】
このように圧縮機１の回転数の変更と同時にファン１０の回転数を下げることによって蒸発器４の蒸発能力を通常より低くでき、冷媒流量を少なくできる作用が加わって、その間に更に冷媒の圧力と放熱が安定し、流動騒音の一因となる液相或いは気相の偏りが更に低減され、流動騒音を抑制することができる。しかもこの抑制策も制御装置９によるファン回転数の設定、すなわち制御装置９の制御ソフトの変更のみで行うことができるので、冷媒通路をテーパー加工する等の必要もなく、安価に提供することができる。
【００５１】
（実施の形態３）
図１１は実施の形態３における制御フローを示すフローチャート、図１２は同実施の形態３における圧縮機、ファンの駆動状態を示す説明図である。
【００５２】
この実施の形態３は、圧縮機起動過程時のある特定の回転数域に達する前に、当該特定の回転数域の手前の回転数の継続時間を、順次上昇させていく各回転数の継続時間よりも長く継続させる構成としてある。
【００５３】
すなわち、図１１の制御フローにおいて、圧縮機１およびファン１０を駆動させた後、ステップ２９で圧縮機１の回転数が特定の回転数の手前の回転数になったか否かを確認し、手前の回転数に達すればステップ３０に示すようにその回転数を図１２の対策実施品の線で示す如く各回転数域の継続時間より長い時間、例えばこの実施の形態では倍の時間継続させるように構成してある。
【００５４】
これにより、冷媒は圧縮機１の低い回転数域によって長く循環駆動されることになり、その間に冷媒の圧力と放熱が安定し、流動騒音の一因となる液相或いは気相の偏りが確実に低減され、流動騒音を抑制することができる。もちろんこの冷媒流動音抑制策も制御ソフトの変更のみで行うことができるので、安価に提供することができる。
【００５５】
（実施の形態４）
図１３は実施の形態４における制御フローを示すフローチャート、図１４は同実施の形態４における圧縮機、ファンの駆動状態を示す説明図である。
【００５６】
この実施の形態４は前記実施の形態３に加え更にファン１０の回転数も変えるようにしたものである。しかもファン１０の回転数変更は圧縮機１と同様に圧縮機特定回転数に達するときの手前の回転数に維持する構成としてある。
【００５７】
すなわち、図１３の制御フローにおいて、ステップ３０で圧縮機回転数を特定回転数の手前の回転数域まで下げたとき更にステップ３１でファン１０の回転数も手前の回転数域のまま継続とし、図１４の対策実施品の線で示す如く各回転数域の継続時間より長い時間、例えばこの実施の形態では倍の時間継続させるように構成してある。
【００５８】
このように圧縮機１の回転数と同様ファン１０の回転数も特定の回転数の手前、すなわち特定の回転数より低い回転数を長い時間継続させることによって、蒸発器４の蒸発能力を通常より低くでき、冷媒流量を少なくできる作用が加わって、その間に更に冷媒の圧力と放熱が安定し、流動騒音の一因となる液相或いは気相の偏りが更に低減され、流動騒音を抑制することができる。そしてこの冷媒流動音抑制策も制御ソフトの変更のみで行うことができるので、安価に提供することができる。
【００５９】
（実施の形態５）
この実施の形態５は図示しないものの、圧縮機１が特定の回転数になるとき圧縮機１の回転数はそのまま上昇させてファン１０の回転数のみを変更、例えば図１０のＦＣファン電圧に示すように前記圧縮機１がある特定の回転数域になるときのファン回転数よりも低い回転数になるように制御、若しくは図１４のＦＣファン電圧に示すように前記圧縮機１がある特定の回転数域になるときのファン回転数よりも低い回転数を所定時間継続制御する構成としたものである。
【００６０】
これにより、圧縮機１の回転が、圧縮機起動過程時に冷媒流動音が発生するある特定の回転数域になると、制御装置９がファン１０の回転数を低く制御し、蒸発器４の蒸発能力を通常より低くでき、その間に冷媒の圧力と放熱が安定し、冷媒流量を少なくできるので、圧縮機１の回転数を変更する場合と同様、効果は若干劣るものの流動騒音の一因となる液相或いは気相の偏りが低減され、流動騒音を抑制することができる。また、この冷媒流動音抑制策も制御ソフトの変更のみで行うことができるので、冷媒通路をテーパー加工する等の必要もなく、安価に提供することができる。
【００６１】
以上説明してきたようにこの冷蔵庫は、圧縮機起動過程時の冷媒流動音を安価に抑制することができるものであるが、上記実施の形態は本発明を実施するうえでの一例として示したものであり、本発明の目的を達成する範囲で種々変更可能であることは言うまでもない。
【００６２】
例えば、上記実施の形態では圧縮機およびファンは段階的に回転数を変更するものを例示したが、これは比例的に変更するようにしても良いものであり、比例的に変わる回転数のうちある特定の回転数域で冷媒流動音が発生する場合に同様の構成を採用すれば同様の効果が得られるものである。
【産業上の利用可能性】
【００６３】
以上のように本発明は、制御装置のソフト変更だけで冷媒流動音を抑制することができ、安価で静かな冷蔵庫を提供することができ、一般用はもちろん業務用の冷蔵庫にも幅広く適用できる。
【符号の説明】
【００６４】
１  圧縮機
２  凝縮器
３  キャピラリチューブ
４  蒸発器
５  冷蔵庫本体
６  扉
７  温度設定手段
８  温度検知手段
９  制御装置
１０  ファン
１１  霜取りヒータ
α  液相
β  気相
【図１】
2014228206.tif 000003
【図２】
2014228206.tif 000004
【図３】
2014228206.tif 000005
【図４】
2014228206.tif 000006
【図５】
2014228206.tif 000007
【図６】
2014228206.tif 000008
【図７】
2014228206.tif 000009
【図８】
2014228206.tif 000010
【図９】
2014228206.tif 000011
【図１０】
2014228206.tif 000012
【図１１】
2014228206.tif 000013
【図１２】
2014228206.tif 000014
【図１３】
2014228206.tif 000015
【図１４】
2014228206.tif 000016
【図１５】
2014228206.tif 000017
【図１６】
2014228206.tif 000018